(57)【要約】【課題】木製のカウンターの下側に組込み家電機器を設けた場合であっても、カウンターを破損させないようにしたキッチンキャビネットを提供する。【解決手段】木製のカウンター２と、カウンター２の下面２ｂに接する組込み家電機器３と、を備え、組込み家電機器３が前面開口部３ａとこの前面開口部３ａを塞ぐための開閉自在である前面板３ｃとを有し、耐熱・耐水部材４が、組込み家電機器３の前側縁部に沿うようにカウンター２の下面２ｂに設けられると共に組込み家電機器３の前側縁部とカウンター２の前端面２ｃとの間に位置している。【選択図】図２
2007289370.tif 000002
【特許請求の範囲】
【請求項１】
木製のカウンターと、カウンターの下面に接する組込み家電機器と、を備え、組込み家電機器が前面開口部とこの前面開口部を塞ぐための開閉自在である前面板とを有し、耐熱・耐水部材が、組込み家電機器の前側縁部に沿うようにカウンターの下面に設けられると共に組込み家電機器の前側縁部とカウンターの前端面との間に位置していることを特徴とするキッチンキャビネット。
【請求項２】
カウンターの下面に凹部を設けて、この凹部に耐熱・耐水部材を設けたことを特徴とする請求項１記載のキッチンキャビネット。
【請求項３】
耐熱・耐水部材の下側面に組込み家電機器の前側縁部に沿うように溝を設けたことを特徴とする請求項１又は２記載のキッチンキャビネット。
【請求項４】
耐熱・耐水部材が組込み家電機器の上部にまで延びて存在していることを特徴とする請求項１〜３のいずれか１項記載のキッチンキャビネット。
【発明の詳細な説明】
【技術分野】
【０００１】
本願発明は、木製のカウンターと、組込み家電機器と、を備えたキッチンキャビネットに関するものである。
【背景技術】
【０００２】
従来から、特開平５−２７７０５６号公報（特許文献１）に示されるようなキッチンキャビネットは知られている。このキッチンキャビネットは図６に示すように、組込み型の食器洗浄機２２がカウンター２１の下側に設けられている。
【０００３】
この種のカウンター２１は、人工大理石やステンレス等の耐熱・耐水性のあるものが素材として使われている。これにより、食器洗浄機２２の水蒸気や、グリルを開けた時の熱によってカウンター２１が破損することを防ぐことができた。
【特許文献１】特開平５−２７７０５６号公報
【発明の開示】
【発明が解決しようとする課題】
【０００４】
近年、意匠的な特徴を出すためカウンター２１の素材として木材を使用したいという要望が高まりつつある。しかしながら、特開平５−２７７０５６号公報に示される上記従来例のキッチンキャビネット２０にあっては、カウンター２１の素材として木材を使った場合、食器洗浄機の水蒸気によって腐敗したり、グリルを開けた時の熱によって炭化したりして、カウンター２１が破損する恐れがある。
【０００５】
本願発明は上記背景技術に鑑みて発明されたものであり、その課題は、木製のカウンターの下側に組込み家電機器を設けた場合であっても、カウンターを破損させないようにしたキッチンキャビネットを提供することである。
【課題を解決するための手段】
【０００６】
上記課題を解決するために、本願請求項１記載の発明では、木製のカウンターと、カウンターの下面に接する組込み家電機器と、を備え、組込み家電機器が前面開口部とこの前面開口部を塞ぐための開閉自在である前面板とを有し、耐熱・耐水部材が、組込み家電機器の前側縁部に沿うようにカウンターの下面に設けられると共に組込み家電機器の前側縁部とカウンターの前端面との間に位置している。
【０００７】
又、本願請求項２記載の発明では、上記請求項１記載のキッチンキャビネットにおいて、  カウンターの下面に凹部を設けて、この凹部に耐熱・耐水部材を設けたことを特徴としている。
【０００８】
又、本願請求項３記載の発明では、上記請求項１又は２記載のキッチンキャビネットにおいて、耐熱・耐水部材の下側面に組込み家電機器の前側縁部に沿うように溝を設けたことを特徴としている。
【０００９】
又、本願請求項４記載の発明では、上記請求項１〜３のいずれか１項記載のキッチンキャビネットにおいて、耐熱・耐水部材が組込み家電機器の上部にまで延びて存在していることを特徴としている。
【発明の効果】
【００１０】
本願請求項１記載の発明のキッチンキャビネットにおいては、耐熱・耐水部材が、組込み家電機器の前側縁部に沿うように木製のカウンターの下面に設けられると共に組込み家電機器の前側縁部とカウンターの前端面との間に位置しているので、例えば、家電機器が食器洗浄機或いはグリルである場合、食器洗浄機の水蒸気やグリルを開けた時の熱気は耐熱・耐水部材にあたることとなり、直接にカウンターにあたることはなくなる。これにより、カウンターが腐敗や炭化により破損する恐れを軽減することができる。
【００１１】
本願請求項２記載の発明のキッチンキャビネットにおいては、特に、カウンターの下面に凹部を設けて、この凹部に耐熱・耐水部材を設けているので、外観を損なう事無く耐熱・耐水部材を設けることができる。
【００１２】
本願請求項３記載の発明のキッチンキャビネットにおいては、特に、耐熱・耐水部材の下側面に組込み家電機器の前側縁部に沿うように溝を設けているので、耐熱・耐水部材に水蒸気があたることで水滴が溜まった場合であってもこの溝によって水切りが行われるので、水滴が組込み家電機器に伝わることがなくなる。これにより、組込み家電機器が錆や腐敗によって破損する恐れを軽減することができる。
【００１３】
本願請求項４記載の発明のキッチンキャビネットにおいては、特に、耐熱・耐水部材が組込み家電機器の上部にまで延びて存在しているので、耐熱・耐水部材の一部が組込み家電機器によって支持されることとなり、より安定して設置することができる。
【発明を実施するための最良の形態】
【００１４】
以下、本願発明を添付図面に示す実施形態に基づいて説明する。
【００１５】
図１、２は、本願請求項１〜４に対応した一実施形態であるキッチンキャビネット１を示している。
【００１６】
このキッチンキャビネット１は、図２に示すように、木製のカウンター２と、カウンター２の下面２ｂに接する組込み家電機器３と、を備え、組込み家電機器３が前面開口部３ａとこの前面開口部３ａを塞ぐための開閉自在である前面板３ｃとを有し、耐熱・耐水部材４が、組込み家電機器３の前側縁部に沿うようにカウンター２の下面２ｂに設けられると共に組込み家電機器３の前側縁部とカウンター２の前端面２ｃとの間に位置している。カウンター２の下面２ｂには凹部が設けられ、この凹部に耐熱・耐水部材４が設けられている。耐熱・耐水部材４の下側面には組込み家電機器３の前側縁部に沿うように溝４ａが設けられている。耐熱・耐水部材４は組込み家電機器３の上部にまで延びて存在している。
【００１７】
以下、この実施形態のキッチンキャビネット１をより具体的詳細に説明する。
【００１８】
本実施形態のキッチンキャビネット１は図１に示すように、厨房装置５の一部として設けられている。この厨房装置５は左右方向に長い直方体状であり、シンク６とＩＨクッキングヒータ７とが設けられ、これらの間にキッチンキャビネット１は位置している。
【００１９】
キッチンキャビネット１は、作業台として用いるカウンター２と、組込み家電機器３と、が設けられている。
【００２０】
カウンター２は厨房装置５の天板であり、左右方向に長く形成されている。カウンター２の上面２ａは水などが溜まらない様にするために平坦に形成されている。前端面２ｃも角を除いて平坦に形成されている。下面２ｂも耐水部材４の溝４ａを除いて平坦に形成されている。
【００２１】
組込み家電機器３は、グリルや食器洗浄機などであるが、本実施形態の組込み家電機器３は食器洗浄機３である。食器洗浄機３は、食器等を出し入れするための前面開口部３ａと、カウンター２の下面２ｂに接する食器洗浄機３の本体部３ｂと、前面開口部３ａを塞ぐと共に本体部３ｂより前側に位置する前面板３ｃと、本体部３ｂに設けられると共に本体部３ｂと前面板３ｃとの間に位置する戸当たり部３ｄと、を備える。前面板３ｃは開閉自在に前面開口部３ａを塞ぐことのできる、扉や引出しの前面板等である。又、戸当たり部３ｄは前面板３ｃが本体部３ｂに当たる際の衝撃を和らげると共に水などの浸入を防ぐ役目を有するパッキン等である。
【００２２】
耐熱・耐水部材４は直方体状であり、アルミニウムなどからなる。耐熱・耐水部材４は食器洗浄機３の本体部３ｂの前側縁部に沿うようにカウンター２の下面２ｂに全長に渡って設けられていると共に食器洗浄機３の本体部３ｂの前端部よりもやや後側からカウンター２の前端部付近の間に渡って位置している。カウンター２の下面２ｂには凹部が設けられ、この凹部に耐熱・耐水部材４が嵌めこまれて設けられている。耐熱・耐水部材４の下側面はカウンター２の下面２ｂと面一であり、この下側面には食器洗浄機３の本体部３ｂの前側縁部に沿うように複数の溝４ａが設けられている。耐熱・耐水部材４の中程には、耐熱・耐水部材４の重量を軽減するために肉抜き部４ｂが複数設けられている。
【００２３】
カウンター２は耐水性のある化粧板からなるが、この化粧板について以下に説明する。
【００２４】
図３はカウンター２に用いる化粧板８の一例を示している。この化粧板８は図３のように単板９の下部に基材１０が配設されている。この単板９には浸透型疎水樹脂が含浸されており、この浸透型疎水樹脂が単板９内部で硬化している。さらに、この単板９はその表面側から浸透型ＵＶ（紫外線）硬化型樹脂が塗布含浸されており、ＵＶ照射によって硬化した浸透型ＵＶ硬化型樹脂の硬化層Ａが単板９の上部に形成されている。なお、この硬化層Ａは、浸透型ＵＶ硬化型樹脂の塗布含浸により単板９に浸透して硬化した浸透型ＵＶ硬化型樹脂の層はもちろん、塗布により単板９の表面で硬化して形成された浸透型ＵＶ硬化型樹脂の塗膜の層をも含んでいる。このように、浸透型疎水樹脂が単板９に含浸されて硬化していることで単板９を補強している。
【００２５】
そして、単板９の上部に形成されている浸透型ＵＶ硬化型樹脂の硬化層Ａが傷ついて欠損してしまった場合でも、浸透型疎水樹脂の働きによって水の浸入を防止することができる。この浸透型疎水樹脂は、低分子量であって、単板９に浸透し疎水性を発揮できる樹脂であり、たとえば、油変性したポリオール、シリコーン変性したポリオールなどを挙げることができる。特に油変性したポリオールは、単板９への浸透性が高く、油変性の部位である長鎖アルキル基によって疎水効果をより発揮することができるので好ましい。浸透型疎水樹脂の分子量としては、１００〜１０００程度が好ましい範囲として挙げることができる。１００未満の場合には、単板９に浸透してもその後でネットワークを作りにくく、十分な物性を発揮することができない場合があるので好ましくない。１０００を超える場合には、単板９に浸透しにくくなる場合があるので好ましくない。さらに、イソシアネートを組み合わせて用いてもよい。これによって単板９の木材成分のセルロースが持つ水酸基とも結びつき密着性を向上させることができる。この場合の浸透型疎水樹脂とイソシアネートの配合比率は、重量比で１／１〜４／１（浸透型疎水樹脂／イソシアネート）程度であることが考慮される。イソシアネートの配合量が少なすぎる場合には、反応に時間がかかるため好ましくない。配合量が多すぎる場合には、架橋度密度が上がりすぎて密着性を阻害する場合があるので好ましくない。イソシアネートの種類としては、トリレンジイソシアネート（ＴＤＩ）系、ジフェニルメタンジイソシアネート（ＭＤＩ）系、ヘキサメチレンジイソシアネート（ＨＤＩ）系などを例示することができる。なかでも、建材用途で問題となる紫外線による黄変を防ぐためにＨＤＩ系を用いることが好ましい。
【００２６】
浸透型ＵＶ硬化型樹脂は、低分子量であって、単板９に浸透し易く紫外線照射によって硬化する光硬化型樹脂であり、たとえば、ポリエステル系、ポリエーテル系、ウレタン系あるいはエポキシ系などの各種のアクリレートが挙げられる。特に、硬化後の表面硬度、入手のし易さや取り扱い性などを考慮するとポリエステル系アクリレートを用いることが好適である。浸透型ＵＶ硬化型樹脂の分子量としては、１００〜１０００程度が好ましい範囲として挙げることができる。１００未満の場合には、単板９に浸透してもその後でネットワークを作りにくく、十分な物性を発揮することができない場合があるので好ましくない。１０００を超える場合には、単板９に浸透しにくくなる場合があるので好ましくない。さらに、イソシアネートを組み合わせて用いてもよい。これによって単板９との密着性を向上させることができる。この場合の浸透型ＵＶ硬化型樹脂とイソシアネートの配合比率は、重量比で２／１〜１０／１（浸透型ＵＶ硬化型樹脂／イソシアネート）程度であることが考慮される。イソシアネートの配合量が少なすぎる場合には、浸透型ＵＶ硬化型樹脂の架橋密度が上がりすぎて塗膜の密着性や靭性が失われてしまい、衝撃による塗膜割れ、剥離が発生する場合があるため好ましくない。配合量が多すぎる場合には、塗膜が柔らかくなり、十分な硬さを得ることができない場合があるため好ましくない。イソシアネートの種類としては、トリレンジイソシアネート（ＴＤＩ）系、ジフェニルメタンジイソシアネート（ＭＤＩ）系、ヘキサメチレンジイソシアネート（ＨＤＩ）系などを例示することができる。なかでも、建材用途で問題となる紫外線による黄変を防ぐためにＨＤＩ系を用いることが好ましい。
【００２７】
以上の浸透型疎水樹脂および浸透型ＵＶ硬化型樹脂の単板９への含浸は、たとえば、スプレーコーターやロールコーターなどの現行の塗装設備を活用して塗布することで実現することができる。
【００２８】
また、単板９の表面に化粧塗装が施されていてもよい。化粧塗装は、一般的な板材に用いられる上塗り用塗料で施せばよく、たとえば、上塗り用ウレタン塗料などを例示することができる。この化粧塗装は、単板９表面の木質感を損なうことなく保持することができる。
【００２９】
基材１０は、化粧板８の主要部分を構成しているもので、合板あるいはゴム集成材などであってよいが、合板がより好ましい。さらに、図４では基材１０の周囲に単板９を配設している。基材１０の周囲に配設された単板９は、上述した単板９と同様に浸透型疎水樹脂および浸透型ＵＶ硬化型樹脂が含浸されていてもよいし、あるいは化粧塗装が施されていてもよい。
【００３０】
図５は本願発明の化粧板８の別例である。図５（ａ）では、単板９と基材１０の間に熱硬化性樹脂含浸シート１１が配設されている。
【００３１】
熱硬化性樹脂含浸シート１１は、紙、織布、不織布などのシート基材に熱硬化性樹脂のワニスを含浸させて半硬化状態にしたものであり、このものをあらかじめ硬化させ、接着剤を用いて単板９と基材１０とを貼り合わせてもよい。あるいは、半硬化状態のまま、基材１０、熱硬化性樹脂含浸シート１１、単板９と順に積層してこれを加熱加圧して貼り合わせてもよい。この場合には、接着剤塗布などの前処理を行うことなく硬化と接着を同時に行うことができるため、簡便に製造することができる。さらに、加熱加圧時には、熱硬化性樹脂が溶融して単板９と基材１０に浸透して硬化することになるため、より強固に接着することになる。
【００３２】
上記熱硬化性樹脂含浸シート１１が硬化されて配設されていることにより、局所的な加重を支持し、加重に対する凹みを小さくすることができるなど化粧板８の表面硬度をさらに高め、強化することができる。この硬化した熱硬化性樹脂含浸シート１１は、水分に対して寸法安定性がよく、含水率変化による膨潤・収縮が抑制される。さらに、図５（ｂ）のように基材１０の周囲に熱硬化性樹脂含浸シート１１を配設してもよい。この場合には、化粧板８の反りの発生を抑制することができる。また、図５（ｂ）の例では、図４と同様に、基材１０の周囲には単板９が配設されている。
【００３３】
以上の熱硬化性樹脂含浸シート１１の熱硬化性樹脂としては、たとえば、ジアリルフタレート樹脂、エポキシ樹脂、メラミン樹脂、尿素樹脂、フェノール樹脂、不飽和ポリエステル樹脂などを挙げることができる。なかでも、安全性やコストを考慮するとジアリルフタレート樹脂が好ましく用いられる。
【００３４】
したがって、この実施形態のキッチンキャビネット１においては、耐熱・耐水部材４が、食器洗浄機３の本体部３ｂの前側縁部に沿うように木製のカウンター２の下面２ｂに設けられると共に食器洗浄機３の本体部３ｂの前端部よりもやや後側からカウンター２の前端部付近の間に渡って位置しているので、食器洗浄機３の前面板３ｃを開けた時に前面開口部３ａから出てくる水蒸気は耐熱・耐水部材４にあたることとなり、直接にカウンター２にあたることはなくなる。これにより、カウンター２が腐敗して破損する恐れを軽減することができる。又、組込み家電機器３がグリルである場合は、引出しの前面板３ｃを開けた時に前面開口部３ａから出てくる熱は耐熱・耐水部材４にあたることとなり、カウンター２が炭化して破損する恐れを軽減することができる。
【００３５】
又、カウンター２の下面２ｂに凹部を設けて、この凹部に耐熱・耐水部材４を設けているので、外観を損なう事無く耐熱・耐水部材４を設けることができる。
【００３６】
又、耐熱・耐水部材４の下側面に食器洗浄機３の本体部３ｂの前側縁部に沿うように複数の溝４ａを設けているので、耐熱・耐水部材４に水蒸気があたることで水滴が溜まった場合であってもこの溝４ａによって水切りが行われるので、水滴が食器洗浄機３に伝わることがなくなる。これにより、食器洗浄機３が錆や腐敗によって破損する恐れを軽減することができる。
【００３７】
又、耐熱・耐水部材４が食器洗浄機３の上部にまで延びて存在しているので、耐熱・耐水部材４の一部が食器洗浄機３によって支持されることとなり、より安定して設置することができる。
【図面の簡単な説明】
【００３８】
【図１】本願発明の一実施形態であるキッチンキャビネットが設けられた厨房装置を示す平面図。
【図２】同キッチンキャビネットを示す図１でのＡ−Ａ要部断面図。
【図３】同キッチンキャビネットに用いられる化粧板の一例を示す断面図。
【図４】同キッチンキャビネットに用いられる化粧板の別例を示す断面図。
【図５】（ａ）は同キッチンキャビネットに用いられる熱硬化性樹脂含浸シートを用いた化粧板の一例を示す断面図、（ｂ）は同キッチンキャビネットに用いられる熱硬化性樹脂含浸シートを用いた化粧板の別例を示す断面図。
【図６】従来例であるキッチンキャビネットを示す斜視図。
【符号の説明】
【００３９】
１  キッチンキャビネット
２  カウンター
２ａ  カウンターの上面
２ｂ  カウンターの下面
２ｃ  カウンターの前端面
３  組込み家電機器（食器洗浄機）
３ａ  前面開口部
３ｂ  本体部
３ｃ  前面板
３ｄ  戸当たり部
４  耐熱・耐水部材
４ａ  溝
４ｂ  肉抜き部
５  厨房装置
６  シンク
７  ＩＨクッキングヒータ
８  化粧板
９  単板
１０  基材
１１  熱硬化性樹脂含浸シート
【図１】
2007289370.tif 000003
【図２】
2007289370.tif 000004
【図３】
2007289370.tif 000005
【図４】
2007289370.tif 000006
【図５】
2007289370.tif 000007
【図６】
2007289370.tif 000008